(57)【要約】  本件発明は新規な油脂の結晶化促進剤を提供することを目的とするものである。油脂の結晶化促進剤は、ＨＬＢが５〜９であり、かつ、融点が５８〜６９℃であり、ポリグリセリン脂肪酸エステルを含むことを特徴とする。前記結晶化促進剤は、ポリグリセリンの平均重合度が２〜１０であってもよい。また、前記結晶化促進剤は、エステル化率が２０〜６０％であってもよい。また、前記ポリグリセリン脂肪酸エステルは、凝固点が５３〜６５℃であってもよい。【特許請求の範囲】
【請求項１】
油脂の結晶化促進剤は、少なくともポリグリセリン脂肪酸エステルを含み、
前記ポリグリセリン脂肪酸エステルは、ＨＬＢが５〜９であり、かつ、融点が５８〜６９℃である
ことを特徴とする。
【請求項２】
請求項１に記載の結晶化促進剤において、
前記ポリグリセリン脂肪酸エステルを構成するポリグリセリンの平均重合度は、２〜１０である
ことを特徴とする。
【請求項３】
請求項１又は２に記載の結晶化促進剤において、
前記ポリグリセリン脂肪酸エステルのエステル化率は、２０〜６０％である
ことを特徴とする。
【請求項４】
請求項１乃至３のいずれかに記載の結晶化促進剤において、
前記ポリグリセリン脂肪酸エステルは、凝固点が５３〜６５℃である
ことを特徴とする。
【請求項５】
請求項１乃至４のいずれかに記載の結晶化促進剤において、
前記ＨＬＢは、アトラス法により算出した値である
ことを特徴とする。
【請求項６】
請求項１乃至５のいずれかに記載の結晶化促進剤において、
前記ポリグリセリン脂肪酸エステルを構成する脂肪酸は、炭素数８〜２４の飽和脂肪酸または不飽和脂肪酸である
ことを特徴とする。
【請求項７】
請求項２乃至６のいずれかに記載の結晶化促進剤において、
前記ポリグリセリン脂肪酸エステルを構成するポリグリセリンの平均重合度は、４〜１０である
ことを特徴とする。
【発明の詳細な説明】
【技術分野】
【０００１】
本発明は、油脂の結晶化促進剤に関する。
【背景技術】
【０００２】
油脂を含む商品において、油脂の結晶挙動や特性は、その商品の開発、製造、保存、流通に至る多くの場面において重要な影響を及ぼす。そのため、油脂結晶の制御技術は、最も重要な課題の一つである。とりわけ、その組成に占める油脂の割合が高い組成物においては、使用する油脂の結晶挙動の影響が大きく、様々な問題があった。【０００３】
例えば、製造後保存中における、結晶の粗大化を抑える方法として、特許文献１には、油脂結晶の粗大化による物性の悪化を防止するために、ジグリセライドを含有する油脂結晶調整剤が開示されている。【０００４】
また、特許文献２には、長期の保存下においても直径２０μｍ以上の粒状結晶が生成しない油脂組成物を製造する方法として、−２０℃以下の冷媒で急速冷却するか、油脂の不安定型結晶粒子を添加することにより不安定型結晶を生成させ、粒状結晶を生成しない油脂又は油脂組成物の製造方法が開示されている。【０００５】
更には、従来技術として、結晶の粗大化を抑制する方法の他、結晶化促進剤の利用も提案されている。例えば、非特許文献１には、親油性で、かつ、融点の高い乳化剤が油脂結晶の鋳型となり結晶化を促進することが記載されており、また、非特許文献２等により、ポリグリセリンのベヘン酸エステルは高い結晶化促進効果と結晶の微細化効果を有することが知られている。
【先行技術文献】
【特許文献】
【０００６】
【特許文献１】特開２０００−３４５１８５号公報
【特許文献２】特開２００１−７２９９２号公報
【非特許文献】
【０００７】
【非特許文献１】佐藤清隆、上野聡「脂質の機能性と構造・物性  分子からマスカラ・チョコレートまで」ｐ９１
【非特許文献２】宮本敦之、松下和男「ポリグリセリンエステルの特性と食品への応用」New Food Industry，３０（１１）、ｐ１２−１８（１９８８）
【発明の概要】
【発明が解決しようとする課題】
【０００８】
しかしながら、従来技術においては、長期の保存中における結晶の粗大化を抑制することに主眼が置かれているため、製造工程中に、油脂を十分に結晶化させるという根本的な問題は解決できておらず、また、結晶化促進剤は、溶解させるために油脂を十分に加熱する必要があり、作業性が悪いことや加熱により油脂の劣化を引き起こしやすいことが懸念されるため、製造工程中の短時間で、結晶化を促進させるという観点からの解決策には適当ではなかった。したがって、結晶化を促進させるための技術の更なる開発が望まれているという実情がある。【０００９】
そこで、本発明では、新規な油脂の結晶化促進剤を提供することを主目的とする。
【課題を解決するための手段】
【００１０】
すなわち、本発明では、ＨＬＢが５〜９であり、かつ、融点が５８〜６９℃である、ポリグリセリン脂肪酸エステルを含むことを特徴とする、油脂の結晶化促進剤を提供する。
本発明に係る結晶化促進剤は、ポリグリセリンの平均重合度が２〜１０であってもよい。
また、本発明に係る結晶化促進剤は、エステル化率が２０〜６０％であってもよい。
【発明の効果】
【００１１】
本発明によれば、新規な油脂の結晶化促進剤を提供することができる。
なお、本発明の効果は、ここに記載された効果に必ずしも限定されるものではなく、本開示中に記載されたいずれかの効果であってもよい。
【発明を実施するための形態】
【００１２】
以下、本発明を実施するための好適な形態について説明する。
なお、以下に説明する実施形態は、本発明の代表的な実施形態を示したものであり、これにより本発明の範囲が狭く解釈されることはない。
【００１３】
ポリグリセリン脂肪酸エステルは、グリセリン同士を脱水縮合したポリグリセリンと脂肪酸のエステル化反応によって得られ、ポリグリセリンの種類（重合度）、脂肪酸の種類（炭素数、二重結合の数）、エステル組成等により、多種類存在する。そして、その種類毎に異なる性質を示すことが知られている。
【００１４】
本発明に係る油脂の結晶化促進剤は、ＨＬＢが５〜９であり、かつ、融点が５８〜６９℃である、ポリグリセリン脂肪酸エステルを含むことを特徴とする。
【００１５】
一般的に、ポリグリセリン脂肪酸エステルを油へ添加する際は、油脂となじみやすいＨＬＢが低い（好ましくは、３以下）ものが選択される。また、ポリグリセリン脂肪酸エステルの融点が高いと、油脂よりも先に結晶化して核になりやすいため、結晶化促進剤としては好適であると考えられていた。しかしながら、本願発明者らが鋭意実験検討を行ったところ、意外にも、ＨＬＢの範囲を５〜９とし、かつ、その融点を５８〜６９℃の範囲に設定することで、結晶化のスピードが速く、微細な結晶を作ることができる、結晶化促進剤を提供できることが分かった。また、本発明に係るポリグリセリン脂肪酸エステルは、融点が高すぎないため、ハンドリング性も良い。
【００１６】
本発明に係る結晶化促進剤において、ポリグリセリン脂肪酸エステルのＨＬＢは、５〜９である。ここで、ＨＬＢは、親水性と親油性の程度を表す指標となるものであり、本発明においては、アトラス法により算出した値である。アトラス法によるＨＬＢは、下記式（１）から算出される。
【００１７】
【数１】
2020218315.tif 000002
【００１８】
本発明において、融点及び凝固点の測定は、従来公知の方法を用いて行うことができ、例えば、示差走査型熱量計（ＤＳＣ）を用いて測定することができる。
【００１９】
本発明に係る結晶化促進剤において、融点は、５８〜６９℃であり、５８〜６６℃であることが好ましい。
【００２０】
本発明に係る結晶化促進剤において、凝固点は、５３〜６５℃であることが好ましい。これにより、十分な結晶化促進効果が得られる。
【００２１】
本発明において、ポリグリセリン脂肪酸エステルを構成するポリグリセリンは、その平均重合度が限定されるものではないが、２〜１０であることが好ましく、４〜１０が更に好ましい。ここで、平均重合度は、末端基分析法による水酸基価から算出されるポリグリセリンの平均重合度（ｎ）である。詳しくは、下記式（２）及び下記式（３）から算出される。
【００２２】
【数２】
2020218315.tif 000003
【００２３】
上記式（３）中の水酸基価とは、ポリグリセリンに含まれる水酸基数の大小の指標となる数値であり、１ｇのポリグリセリンに含まれる遊離ヒドロキシル基をアセチル化するために必要な酢酸を中和するのに要する水酸化カリウムのミリグラム数をいう。水酸化カリウムのミリグラム数は、社団法人日本油化学会編纂「日本油化学会制定、基準油脂分析試験法、２００３年度版」に準じて算出される。
【００２４】
ポリグリセリン脂肪酸エステルは、従来公知のエステル化反応により製造することができる。例えば、脂肪酸とポリグリセリンとを水酸化ナトリウム等のアルカリ触媒の存在下でエステル化反応させることにより製造することができる。エステル化は、ポリグリセリン脂肪酸エステルのエステル化率が所望の値になるまで行われる。
【００２５】
本発明に係る結晶化促進剤では、エステル化率が２０〜６０％であることが好ましく、３０〜４５％であることが更に好ましい。ここで、エステル化率とは、水酸基価から算出されるポリグリセリンの平均重合度（ｎ）、このポリグリセリンが有する水酸基数（ｎ＋２）、ポリグリセリンに付加する脂肪酸のモル数（Ｍ）としたとき、下記式（４）で算出される値である。水酸基価とは、上記式（３）により算出される値である。
【００２６】
【数３】
2020218315.tif 000004
【００２７】
ポリグリセリン脂肪酸エステルを構成する脂肪酸としては、特に限定されないが、通常炭素数８〜２４の飽和又は不飽和の脂肪酸が用いられる。前記脂肪酸は混合物であってもよく、前記脂肪酸の具体例としては、カプリル酸、ペラルゴン酸、カプリン酸、ラウリン酸、ミリスチン酸、ベンタデシル酸、パルミチン酸、パルミトレイン酸、マルガリン酸、ステアリン酸、オレイン酸、パクセン酸、リノール酸、リノレン酸、アラキジン酸、アラキドン酸、エルカ酸、ベヘン酸等が挙げられる。これらの中でも特に、油脂組成物の溶融性と固体脂含量のバランス、ハンドリング性において、炭素数１６〜１８の飽和脂肪酸が好ましい。
【００２８】
本発明に係る結晶化促進剤の用途は特に限定されず、油脂を含む飲食品、化粧品、医薬部外品、医薬品等の分野で幅広く使用することができ、とりわけ、製造工程中の短時間での結晶化促進効果が必要とされるホイップクリーム、コーヒーホワイトナー、マーガリン、ショートニング、チョコレート、乳飲料、機能性油脂等の油脂組成物において、本発明の効果を発揮することができる。
【００２９】
また、前記油脂組成物が含有する油脂も特に限定されず、例えば、菜種油、大豆油、ヒマワリ種子油、綿実油、落花生油、米糠油、コーン油、サフラワー油、オリーブ油、カポック油、ゴマ油、月見草油、パーム油、シア脂、サル脂、カカオ脂、ヤシ油、パーム核油等の植物性油脂；乳脂、牛脂、ラード、魚油、鯨油等の動物性油脂の単独又は混合油、或いはそれらの硬化、分別、エステル交換等を施した加工油脂等が挙げられる。本発明に係る結晶化促進剤は、これらの中でも特に、結晶化速度が遅いパーム系油脂、エステル交換油脂等に好適である。エステル交換油としては、ラウリン系エステル交換油等が好適である。
【００３０】
本発明に係る結晶化促進剤の使用方法は、所望の油脂中に融解させ、前記油脂と結晶化促進剤とが完全融解した状態から、結晶化工程を経ることで、結晶化促進の効果が発揮される。この際、本発明に係る結晶化促進剤は、好ましくは油脂に対して０．０２〜５重量％添加することで、十分な結晶化促進効果を得ることができる。
【実施例】
【００３１】
以下、実施例に基づいて本発明を説明する。
なお、以下に説明する実施例は、本発明の代表的な実施例の一例を示したものであり、これにより本発明の範囲が狭く解釈されることはない。【００３２】
本発明に係るポリグリセリンは、平均重合度が２のポリグリセリンに阪本薬品工業株式会社製「ジグリセリンＳ」を、平均重合度が４のポリグリセリンに阪本薬品工業株式会社製「ポリグリセリン＃３１０」を、平均重合度が６のポリグリセリンに阪本薬品工業株式会社製「ポリグリセリン＃５００」を、平均重合度が１０のポリグリセリンに阪本薬品工業株式会社製「ポリグリセリン＃７５０」を使用した。【００３３】
＜合成例１＞
平均重合度が２のポリグリセリン１００ｇとステアリン酸２３９ｇを反応容器に入れ、水酸化ナトリウムによるアルカリ性および窒素流気下、２４５℃で反応させ、エステル化率３５％のポリグリセリン脂肪酸エステルを得た。【００３４】
＜合成例２＞
平均重合度が４のポリグリセリン１００ｇとステアリン酸１５７ｇを反応容器に入れ、水酸化ナトリウムによるアルカリ性および窒素流気下、２４５℃で反応させ、エステル化率３１％のポリグリセリン脂肪酸エステルを得た。【００３５】
＜合成例３＞
平均重合度が４のポリグリセリン１００ｇとステアリン酸１９１ｇを反応容器に入れ、水酸化ナトリウムによるアルカリ性および窒素流気下、２４５℃で反応させ、エステル化率３７%のポリグリセリン脂肪酸エステルを得た。【００３６】
＜合成例４＞
平均重合度が６のポリグリセリン１００ｇとステアリン酸１２３ｇを反応容器に入れ、水酸化ナトリウムによるアルカリ性および窒素流気下、２４５℃で反応させ、エステル化率３０％のポリグリセリン脂肪酸エステルを得た。【００３７】
＜合成例５＞
平均重合度が６のポリグリセリン１００ｇとステアリン酸１８４ｇを反応容器に入れ、水酸化ナトリウムによるアルカリ性および窒素流気下、２４５℃で反応させ、エステル化率４５％のポリグリセリン脂肪酸エステルを得た。【００３８】
＜合成例６＞
平均重合度が６のポリグリセリン１００ｇとステアリン酸２２５ｇを反応容器に入れ、水酸化ナトリウムによるアルカリ性および窒素流気下、２４５℃で反応させ、エステル化率５５％のポリグリセリン脂肪酸エステルを得た。【００３９】
＜合成例７＞
平均重合度が１０のポリグリセリン１００ｇとステアリン酸１５３ｇを反応容器に入れ、水酸化ナトリウムによるアルカリ性および窒素流気下、２４５℃で反応させ、エステル化率３８％のポリグリセリン脂肪酸エステルを得た。【００４０】
＜合成例８＞
平均重合度が１０のポリグリセリン１００ｇとステアリン酸１８４ｇを反応容器に入れ、水酸化ナトリウムによるアルカリ性および窒素流気下、２４５℃で反応させ、エステル化率４５％のポリグリセリン脂肪酸エステルを得た。【００４１】
＜合成例９＞
平均重合度が６のポリグリセリン１００ｇとパルミチン酸３１ｇとステアリン酸１０１ｇを反応容器に入れ、水酸化ナトリウムによるアルカリ性および窒素流気下、２４５℃で反応させ、エステル化率３３％のポリグリセリン脂肪酸エステルを得た。【００４２】
＜比較例１＞
ポリグリセリンベヘン酸エステル  製品名：ＨＢ−７５０（阪本薬品工業株式会社製）【００４３】
＜比較例２＞
ポリグリセリンベヘン酸エステル  製品名：ＤＤＢ−７５０（阪本薬品工業株式会社製）【００４４】
＜比較例３＞
ポリグリセリンステアリン酸エステル  製品名：ＭＳ−３Ｓ（阪本薬品工業株式会社製）【００４５】
＜比較例４＞
ポリグリセリンステアリン酸エステル  製品名：ＰＳ−３Ｓ（阪本薬品工業株式会社製）【００４６】
＜比較例５＞
ポリグリセリンステアリン酸エステル  製品名：ＴＳ−５Ｓ（阪本薬品工業株式会社製）【００４７】
＜比較例６＞
ポリグリセリンステアリン酸エステル  製品名：ＤＡＳ−７Ｓ（阪本薬品工業株式会社製）【００４８】
＜比較例７＞
平均重合度が４のポリグリセリン１００ｇとパルミチン酸１５７ｇを反応容器に入れ、水酸化ナトリウムによるアルカリ性および窒素流気下、２４５℃で反応させ、エステル化率３３％のポリグリセリン脂肪酸エステルを得た。【００４９】
以上のようにして製造した合成例１〜９及び比較例１〜７のポリグリセリン脂肪酸エステルを用いて、下記の測定を行った。【００５０】
＜凝固点及び融点の測定＞
示差走査熱量計（型番：DSC8320、株式会社リガク製）により各ポリグリセリン脂肪酸エステルの凝固点及び融点を測定した。各試料をアルミセルに５ｍｇ秤量し、サンプルシーラーで蓋をした。対照にはアルミナ５ｍｇを用いた。セルを８５℃から５℃／ｍｉｎで２５℃まで冷却し５分間保持後、５℃／ｍｉｎで８５℃まで加熱した際の冷却時の発熱ピークのon-set温度を凝固点、加熱時の吸熱ピークのoff-set温度を融点とした。【００５１】
＜固定脂含量（ＳＦＣ）の測定及び顕微鏡観察のための試料作製＞
精製パーム油、硬化パーム核油、及びエステル交換油の各油脂に、各ポリグリセリン脂肪酸エステルを０．５重量％添加後、８０℃で均一に溶解させた。なお、エステル交換油は、具体的には、ラウリン系エステル交換油であり、パーム核油、ヤシ油、及び菜種極度硬化油の混合油脂、融点２７．２℃のものを用いた。【００５２】
＜固体脂含量（ＳＦＣ）の測定＞
AOCS Official Method Cd 16b-93（1999）に準じ、卓上ＮＭＲ（型番：minispec mq20、BRUKER社製）によりＳＦＣを測定した。なお、ＳＦＣとは、Solid Fat Content（固体脂含量）の略称であり、一定温度下で油脂中に存在する固体脂の含量（％）を示す。したがって、結晶化を開始してから一定時間後における油脂のＳＦＣが高いほど、油脂の結晶化が速く、結晶化促進効果が高い。【００５３】
測定用サンプル管に試料を高さ５ｃｍ程度入れ、８０℃で１０分間加熱し融解させた。その後、精製パーム油は２５℃、硬化パーム核油は２５℃、エステル交換油は２０℃に調温した循環恒温水槽（型番：NCB-1200、東京理化器械株式会社製）に移し、精製パーム油は１０分後、硬化パーム核油は３分後、エステル交換油は１０分後のＳＦＣを測定した。なお、評価は、無添加（Blank）、及び結晶化促進剤として汎用であるＨＢ−７５０、ＤＤＢ−７５０を指標として行った。
［評価基準］
×：無添加のＳＦＣと同等かそれより低い
△：無添加のＳＦＣよりも高く、ＨＢ−７５０より低い
○：ＨＢ−７５０のＳＦＣと同等かそれより高く、ＤＤＢ−７５０のＳＦＣより低い
◎：ＤＤＢ−７５０のＳＦＣと同等かそれより高い【００５４】
＜結晶サイズの測定＞
スライドガラスに各試料１０μＬ滴下し、カバーガラスを被せ、プレパラートを作製した、これを冷却加熱ステージ（型番：10030、リンカム社製）で８０℃まで２０℃／ｍｉｎで昇温させた後、５℃／ｍｉｎで、精製パーム油は２５℃、硬化パーム核油は２５℃、エステル交換油は２０℃にまで冷却し、精製パーム油は２０分後、硬化パーム核油は１０分後、エステル交換油は１５分後の結晶形態を偏光顕微鏡（型番：BX50、オリンパス株式会社製）にて観察し、付属のデジタルカメラ（型番：DP20、オリンパス株式会社製）で撮影した。画像から結晶サイズを計測した。なお、評価は、無添加（Blank）、及び結晶化促進剤として汎用であるＨＢ−７５０、ＤＤＢ−７５０を指標として行った。
［評価基準］
×：無添加の結晶サイズと同等かそれより大きい
△：無添加の結晶サイズより小さく、ＨＢ−７５０より大きい
○：ＨＢ−７５０の結晶サイズと同等かそれより小さく、ＤＤＢ−７５０より大きい。
◎：ＤＤＢ−７５０の結晶サイズと同等かそれより小さい【００５５】
＜測定結果＞
合成例１〜９及び比較例１〜７のポリグリセリン脂肪酸エステルの測定結果、ＨＬＢ、及びエステル化率（％）について、下記表１に示す。【００５６】
【表１】
2020218315.tif 000005
【００５７】
＜考察＞
合成例１〜９のポリグリセリン脂肪酸エステルは、精製パーム油、硬化パーム核油、及びエステル交換油のいずれの油脂を用いた場合にも、結晶化促進効果のあるポリグリセリンベヘン酸エステル（比較例１及び２）と同等以上であり、また、比較例３〜７のポリグリセリン脂肪酸エステルと比較して、ＳＦＣの値が大きく、結晶も微細であることが確認された。したがって、ＨＬＢを５〜９であり、かつ、融点を５８〜６９℃とすることにより、ハンドリング性が良く、油脂の結晶化促進効果の高いポリグリセリン脂肪酸エステルを得ることができた。
【産業上の利用可能性】
【００５８】
本発明によれば、新規な油脂の結晶化促進剤を提供することができる。本発明に係る結晶化促進剤は、その優れた結晶化促進効果に基づき、油脂を含む飲食品、化粧品、医薬部外品、医薬品等の分野で幅広く使用することができる。
【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
油脂の結晶化促進剤は、少なくともポリグリセリン脂肪酸エステルを含み、
前記ポリグリセリン脂肪酸エステルは、ＨＬＢが５〜９であり、かつ、融点が５８〜６９℃であり、
前記ポリグリセリン脂肪酸エステルを構成する脂肪酸は、炭素数８〜２４の飽和脂肪酸であることを特徴とする。
【請求項２】
請求項１に記載の結晶化促進剤において、
前記ポリグリセリン脂肪酸エステルを構成するポリグリセリンの平均重合度は、２〜１０であることを特徴とする。
【請求項３】
請求項１又は２に記載の結晶化促進剤において、
前記ポリグリセリン脂肪酸エステルのエステル化率は、２０〜６０％であることを特徴とする。
【請求項４】
請求項１乃至３のいずれかに記載の結晶化促進剤において、
前記ポリグリセリン脂肪酸エステルは、凝固点が５３〜６５℃であることを特徴とする。
【請求項５】
請求項１乃至４のいずれかに記載の結晶化促進剤において、
前記ＨＬＢは、アトラス法により算出した値である
ことを特徴とする。
【請求項６】
請求項２乃至５のいずれかに記載の結晶化促進剤において、
前記ポリグリセリン脂肪酸エステルを構成するポリグリセリンの平均重合度は、４〜１０であることを特徴とする。
【手続補正２】
【補正対象書類名】明細書
【補正対象項目名】０００３
【補正方法】変更
【補正の内容】
【０００３】
なお、本発明の効果は、ここに記載された効果に必ずしも限定されるものではなく、本開示中に記載されたいずれかの効果であってもよい。
発明を実施するための形態
［００１２］
以下、本発明を実施するための好適な形態について説明する。
なお、以下に説明する実施形態は、本発明の代表的な実施形態を示したものであり、これにより本発明の範囲が狭く解釈されることはない。
［００１３］
ポリグリセリン脂肪酸エステルは、グリセリン同士を脱水縮合したポリグリセリンと脂肪酸のエステル化反応によって得られ、ポリグリセリンの種類（重合度）、脂肪酸の種類（炭素数、二重結合の数）、エステル組成等により、多種類存在する。そして、その種類毎に異なる性質を示すことが知られている。
［００１４］
本発明に係る油脂の結晶化促進剤は、少なくともポリグリセリン脂肪酸エステルを含み、前記ポリグリセリン脂肪酸エステルは、ＨＬＢが５〜９であり、かつ、融点が５８〜６９℃であり、前記ポリグリセリン脂肪酸エステルを構成する脂肪酸は、炭素数８〜２４の飽和脂肪酸であることを特徴とする。
［００１５］
一般的に、ポリグリセリン脂肪酸エステルを油へ添加する際は、油脂となじみやすいＨＬＢが低い（好ましくは、３以下）ものが選択される。また、ポリグリセリン脂肪酸エステルの融点が高いと、油脂よりも先に結晶化して核になりやすいため、結晶化促進剤としては好適であると考えられていた。しかしながら、本願発明者らが鋭意実験検討を行ったところ、意外にも、ＨＬＢの範囲を５〜９とし、かつ、その融点を５８〜６９℃の範囲に設定することで、結晶化のスピードが速く、微細な結晶を作ることができる、結晶化促進剤を提供できることが分かった。また、本発明に係るポリグリセリン脂肪酸エステルは、融点が高すぎないため、ハンドリング性も良い。
［００１６］
本発明に係る結晶化促進剤において、ポリグリセリン脂肪酸エステルのＨＬＢは、５〜９である。ここで、ＨＬＢは、親水性と親油性の程度を表す指標となるものであり、本発明においては、アトラス法により算出した値である。アトラス法によるＨＬＢは、下記式（１）から算出される。
［００１７］
【国際調査報告】
2020218315.tif 000006
2020218315.tif 000007
2020218315.tif 000008
2020218315.tif 000009